(57)【特許請求の範囲】
【請求項１】
入力楽音信号の所定の周波数帯域のレベルを検出するレベル検出手段と、
前記入力楽音信号の定位を移動させる定位移動手段と、
前記レベル検出手段においてレベルが検出されないときには、前記定位移動手段を制御して楽音信号の定位を一定の変化速度で移動させ、前記レベル検出手段においてレベルが検出されるときには、前記定位移動手段を制御して楽音信号の定位を前記検出レベルに対応した変化速度で移動させる制御手段と
を有することを特徴とする効果装置。
【請求項２】
入力演奏情報に従って楽音信号を発生する楽音発生手段と、
前記入力演奏情報のなかの発生させる楽音信号のレベルを示す情報を選択的に出力する出力手段と、
前記楽音発生手段より発生される楽音信号の定位を移動させる定位移動手段と、
前記出力手段から出力された前記レベルを示す情報が０レベルを表す情報であるときには、前記定位移動手段を制御して楽音信号の定位を一定の変化速度で移動させ、前記出力手段から出力された前記レベルを示す情報が０レベル以外を表す情報であるときには、前記定位移動手段を制御して楽音信号の定位を前記レベルを示す情報の表すレベルに対応した変化速度で移動させる制御手段と
を有することを特徴とする効果装置。
【請求項３】
請求項１または２のいずれか１項に記載の効果装置において、
前記一定の変化速度は、変化速度０を含むものである
ことを特徴とする効果装置。
【請求項４】
請求項１、２または３のいずれか１項に記載の効果装置において、
前記定位移動手段は、低周波波形を発生する低周波波形発生手段を含み、
前記制御手段は、前記低周波波形発生手段により発生される低周波波形の周期を変化させる
ことを特徴とする効果装置。
【発明の詳細な説明】
【０００１】
【発明の属する技術分野】
本発明は、効果装置に関し、さらに詳細には、楽音の定位を移動させることのできる効果装置に関する。
【０００２】
【従来の技術】
従来より、一般に「オート・パン」と称される効果たる、低周波波形を発生する低周波波形発生手段としてのＬＦＯ（Ｌｏｗ  Ｆｒｅｑｕｅｎｃｙ  Ｏｓｃｉｌｌａｔｏｒ：低周波発振器）によって発生された鋸波、サイン波（ｓｉｎ波）などの波形（以下、ＬＦＯにより発生された波形を、「ＬＦＯ波形」と称する。）を用いて、楽音の定位を自動的に左右に一定の周期で移動させるという効果を付与することのできる効果装置が知られている。
【０００３】
ところで、従来のオート・パンを実現する効果装置においては、ＬＦＯ波形の周波数は常に一定とされていたため、オート・パンによる楽音の定位の左右への移動の周期も常に一定となされていた。
【０００４】
このため、オート・パンによる演奏は、楽音の定位の変化が単調であり、興趣に欠けるという問題点があった。
【０００５】
【発明が解決しようとする課題】
本発明は、上記したような従来の技術の有する問題点に鑑みてなされたものであり、その目的とするところは、オート・パンによる楽音の定位の左右への移動を複雑に変化させるようにして、楽音の定位の変化を複雑にし、興趣に富んだ演奏を行うことができるようにした効果装置を提供しようとするものである。
【０００６】
【課題を解決するための手段】
上記目的を達成するために、本発明のうち請求項１に記載の発明は、入力楽音信号の所定の周波数帯域のレベルを検出するレベル検出手段と、上記入力楽音信号の定位を移動させる定位移動手段と、上記レベル検出手段においてレベルが検出されないときには、上記定位移動手段を制御して楽音信号の定位を一定の変化速度で移動させ、上記レベル検出手段においてレベルが検出されるときには、上記定位移動手段を制御して楽音信号の定位を上記検出レベルに対応した変化速度で移動させる制御手段とを有するようにしたものである。
【０００７】
従って、本発明のうち請求項１に記載の発明によれば、所定の周波数帯域の楽音信号のレベルに応じて、楽音信号の定位の変化を制御させることができる。
【０００９】
また、本発明のうち請求項２に記載の発明は、入力演奏情報に従って楽音信号を発生する楽音発生手段と、上記入力演奏情報のなかの発生させる楽音信号のレベルを示す情報を選択的に出力する出力手段と、上記楽音発生手段より発生される楽音信号の定位を移動させる定位移動手段と、上記出力手段から出力された上記レベルを示す情報が０レベルを表す情報であるときには、上記定位移動手段を制御して楽音信号の定位を一定の変化速度で移動させ、上記出力手段から出力された上記レベルを示す情報が０レベル以外を表す情報であるときには、上記定位移動手段を制御して楽音信号の定位を上記レベルを示す情報の表すレベルに対応した変化速度で移動させる制御手段とを有するようにしたものである。
【００１０】
従って、本発明のうち請求項２に記載の発明によれば、発生させる楽音信号のレベルに応じて、楽音信号の定位の変化を制御させることができる。
【００１１】
また、本発明のうち請求項３に記載の発明は、本発明のうち請求項１または２のいずれか１項に記載の発明において、上記一定の変化速度が、変化速度０を含むものであるとしたものである。
【００１２】
また、本発明のうち請求項４に記載の発明は、本発明のうち請求項１、２または３のいずれか１項に記載の発明において、上記定位移動手段は、低周波波形を発生する低周波波形発生手段を含み、上記制御手段は、上記低周波波形発生手段により発生される低周波波形の周期を変化させるようにしたものである。
【００１３】
【発明の実施の形態】
以下、添付の図面を参照しながら、本発明による効果装置の実施の形態の一例を詳細に説明する。
【００１４】
図１には、本発明による効果装置を備えた電子楽器を表すブロック構成図が示されている。
【００１５】
なお、この図１に示す電子楽器においては、理解を容易にするために、後述する楽音信号発生回路１２は、複数のパート毎に楽音信号をそれぞれ同時に生成可能なマルチ・ティンバー音源ではなく、同時には単一の楽音信号を生成するものとする。
【００１６】
この電子楽器は、鍵盤（図示せず）に設けられた鍵の押鍵／離鍵に基づいて駆動されて当該押鍵／離鍵された鍵を示す押鍵情報／離鍵情報を出力する鍵スイッチ回路（鍵ＳＷ回路）１０と、鍵スイッチ回路１０から出力された押鍵情報に基づいて左楽音信号および右楽音信号を生成してステレオ出力するとともに離鍵情報に基づいて左楽音信号および右楽音信号の生成を停止する楽音信号発生回路１２と、楽音信号発生回路１２から出力された左楽音信号と右楽音信号とを加算して出力する第１加算器１４と、第１加算器１４から出力された楽音信号（以下、「第１加算楽音信号」と称する。）をフィルタリングするフィルターを構成するフィルター回路１６と、フィルター回路１６から出力された楽音信号（以下、「フィルタリング楽音信号」と称する。）のレベルに応じて変換を行って変換値を出力するレベル→レイト２変換回路（ＬＥＶＥＬ→Ｒａｔｅ２変換回路）１８と、レベル→レイト２変換回路１８から出力された変換値ならびに後述するＬＦＯ制御回路４８およびＲａｔｅモード制御回路５０によって設定されるパラメータに従ってＬＦＯ波形を発生するＬＦＯ発生回路２０と、第１加算楽音信号と後述するパン制御回路２６から出力されたステレオの左レベル値とを乗算してステレオ出力の左の定位を制御された楽音信号（以下、ステレオ出力の左の定位を制御された楽音信号を、適宜に「左エフェクト楽音信号」と称する。）を出力する第１乗算器２２と、第１加算楽音信号と後述するパン制御回路２６から出力されたステレオの右レベル値とを乗算してステレオ出力の右の定位を制御された楽音信号（以下、ステレオ出力の右の定位を制御された楽音信号を、適宜に「右エフェクト楽音信号」と称する。）を出力する第２乗算器２４と、ステレオ出力の左右の定位を制御するためにＬＦＯ発生回路２０によって発生されたＬＦＯ波形に基づいて第１加算楽音信号のステレオ出力の左右のレベル値を制御して第１乗算器２２ならびに第２乗算器２４へそれぞれ出力するパン制御回路２６と、第１乗算器２２から出力された左エフェクト楽音信号と楽音信号発生回路１２から出力された定位を制御されていない左楽音信号（以下、定位を制御されていない左楽音信号を、適宜に「左ドライ楽音信号」と称する。）とを加算して出力する第２加算器２８と、第２乗算器２４から出力されたステレオ出力の右エフェクト楽音信号と楽音信号発生回路１２から出力された定位を制御されていない右楽音信号（以下、定位を制御されていない右楽音信号を、適宜に「右ドライ楽音信号」と称する。）とを加算して出力する第３加算器３０と、第２加算器２８から出力された楽音信号（デジタル楽音信号）をアナログ楽音信号にデジタル／アナログ変換して出力する第１デジタル／アナログ変換器（第１Ｄ／Ａ）３２と、第１デジタル／アナログ変換器３２から出力されたアナログ楽音信号を増幅して出力する第１増幅器３４と、第１増幅器３４から出力されたアナログ楽音信号を聴取し得るステレオ出力の左出力として空間に放音する左スピーカー３６と、第３加算器３０から出力された楽音信号（デジタル楽音信号）をアナログ楽音信号にデジタル／アナログ変換して出力する第２デジタル／アナログ変換器（第２Ｄ／Ａ）３８と、第２デジタル／アナログ変換器３８から出力されたアナログ楽音信号を増幅して出力する第２増幅器４０と、第２増幅器４０から出力されたアナログ楽音信号を聴取し得るステレオ出力の右出力として空間に放音する右スピーカー４２と、フィルター回路１６を制御するフィルター制御回路４４と、レベル→レイト２変換回路１８を制御するレイト２制御回路（Ｒａｔｅ２制御回路）４６と、ＬＦＯ発生回路２０を制御するＬＦＯ制御回路４８と、ＬＦＯ発生回路２０を制御するレイト・モード制御回路（Ｒａｔｅモード制御回路）５０と、第２加算器２８および第３加算器３０を制御するドライ：エフェクト・バランス制御回路（ＤＲＹ：ＥＦＦＥＣＴバランス制御回路）５２と、フィルター制御回路４４とレイト２制御回路４６とＬＦＯ制御回路４８とレイト・モード制御回路５０とドライ：エフェクト・バランス制御回路５２とを制御するマイクロ・プロセッサ５４と、フィルター制御回路４４とレイト２制御回路４６とＬＦＯ制御回路４８とレイト・モード制御回路５０とドライ：エフェクト・バランス制御回路５２とにおいて設定された後述する各種のパラメータのパラメータ値（パラメータにより示される内容）を指定するための操作子群５６とを有して構成されている。
【００１７】
なお、フィルター回路１６にはフィルターを追加した楽音信号のレベルを検出する回路も含んでおり、該フィルター回路１６の出力からはレベル信号が出力される。
【００１８】
ここで、フィルター制御回路４４とレイト２制御回路４６とＬＦＯ制御回路４８とレイト・モード制御回路５０とドライ：エフェクト・バランス制御回路５２とにおいて、それぞれ設定されるパラメータについて説明する。
【００１９】
まず、フィルター制御回路４４に設定されるパラメータとしては、以下のパラメータがある。
【００２０】
（１）フィルター・タイプ（Ｆｉｌｔｅｒ  Ｔｙｐｅ）
フィルター回路１６において構成するフィルターの種類を決めるパラメータである。フィルターの種類としては、ロー・パス・フィルター（ＬＰＦ）と、ハイ・パス・フィルター（ＨＰＦ）と、バンド・パス・フィルター（ＢＰＦ）との３種類設定されている。操作子群５６の操作により、ＬＰＦとＨＰＦとＢＰＦとを任意に指定することができる。
【００２１】
（２）カットオフ（ＣｕｔＯｆｆ）
フィルター回路１６によって構成されるフィルターを通過させる楽音信号の周波数を決めるパラメータである。操作子群５６の操作により、任意の周波数を指定することができる。
【００２２】
また、レイト２制御回路４６に設定されるパラメータとしては、以下のパラメータがある。
【００２３】
（１）レイト２（Ｒａｔｅ２）
楽音信号がフィルター回路１６によって構成されるフィルターを通過したときに、レベル→レイト２変換回路１８が出力する変換値の大きさ、即ち、フィルタリング楽音信号の変換カーブを決めるパラメータである。操作子群５６の操作により、予め設定された複数の変換カーブの中から、所望の変換カーブを指定することができる。
【００２４】
また、ＬＦＯ制御回路４８に設定されるパラメータとしては、以下のパラメータがある。
【００２５】
（１）ＬＦＯタイプ（ＬＦＯ  Ｔｙｐｅ）
ＬＦＯ発生回路２０によって発生されるＬＦＯ波形の種類を決めるパラメータである。ＬＦＯ波形の種類としては、鋸波とサイン波と矩形波との３種類設定されている。操作子群５６の操作により、鋸波とサイン波と矩形波とを任意に指定することができる。
【００２６】
（２）レイト１（Ｒａｔｅ１）
ＬＦＯ発生回路２０によって発生されるＬＦＯ波形の周期を決めるパラメータである。操作子群５６の操作により、任意の値を指定することができる。また、レイト・モード制御回路５０に設定されるパラメータとしては、以下のパラメータがある。
【００２７】
（１）モード（Ｍｏｄｅ）
ＬＦＯ発生回路２０におけるＬＦＯ波形の発生のモードを決めるパラメータである。モードとしては、レイト１のみに基づいてＬＦＯ波形を発生するモード１（Ｍｏｄｅ１）と、レイト２のみに基づいてＬＦＯ波形を発生するモード２（Ｍｏｄｅ２）と、レイト１とレイト２とを加算した（レイト１＋レイト２）値でＬＦＯ波形を発生するモード３（Ｍｏｄｅ３）との３種類設定されている。操作子群５６の操作により、モード１とモード２とモード３とを任意に指定することができる。
【００２８】
また、ドライ：エフェクト・バランス制御回路５２に設定されるパラメータとしては、以下のパラメータがある。
【００２９】
（２）バランス（Ｂａｌａｎｃｅ）
第２加算器２８における左ドライ楽音信号と左エフェクト楽音信号との加算の割合および第３加算器３０における右ドライ楽音信号と右エフェクト楽音信号との加算の割合を決めるパラメータである。操作子群５６の操作により、任意に割合を指定することができる。
【００３０】
以上の構成において、この電子楽器においては、鍵盤（図示せず）に設けられた鍵を押鍵／離鍵すると、当該押鍵／離鍵に基づいて鍵スイッチ回路１０が駆動され、当該押鍵／離鍵された鍵を示す押鍵情報／離鍵情報が鍵スイッチ回路１０から楽音信号発生回路１２へ出力される。
【００３１】
楽音信号発生回路１２においては、押鍵情報に基づいて左楽音信号と右楽音信号とを生成してステレオ出力し、離鍵情報に基づいて左楽音信号と右楽音信号との生成を停止する。
【００３２】
ここで、楽音信号発生回路１２から出力された左楽音信号と右楽音信号とは、それぞれドライ側とエフェクト側とに分岐され、エフェクト側に分岐された左楽音信号と右楽音信号とは、第１加算器１４によって加算される。
【００３３】
第１加算器１４に加算されて出力された第１加算楽音信号は、エフェクト側とフィルター側とに分岐される。
【００３４】
そして、フィルター側に分岐された第１加算楽音信号は、フィルター制御回路４４によってフィルター・タイプとカットオフとを設定されたフィルター回路１６へ入力され、フィルター回路１６によって当該フィルター・タイプとカットオフとに応じて所定の周波数帯域の信号のみが通過されて取り出され、フィルター回路１６によって通過されて取り出された楽音信号、即ち、フィルタリング楽音信号はレベル→レイト２変換回路１８へ出力される。
【００３５】
レベル→レイト２変換回路１８においては、レイト２制御回路４６によって設定されたレイト２に従って、フィルタリング楽音信号のレベルに応じた変換を行って変換値を得て、その変換値をＬＦＯ発生回路２０へ出力する。
【００３６】
ＬＦＯ発生回路２０では、ＬＦＯ制御回路４８により設定されたＬＦＯタイプやレイト１によってＬＦＯ波形を発生させており、その際にレイト・モード制御回路５０によりＬＦＯ発生回路２０に設定されたモードに従って、図３（ａ）（ｂ）（ｃ）に示すように各モードに応じたＬＦＯ波形が発生されることになる。なお、図３（ａ）（ｂ）（ｃ）においては、ＬＦＯタイプとして鋸波が設定された場合について例示している。
【００３７】
即ち、レイト・モード制御回路５０によりＬＦＯ発生回路２０にモード１が設定されている場合には、図３（ａ）に示すように、レイト１のみに基づいてＬＦＯ波形を発生するものである。
【００３８】
このモード１においては、レイト１の値が波長となり、一定の周期でＬＦＯ波形が発生されるものである。
【００３９】
また、レイト・モード制御回路５０によりＬＦＯ発生回路２０にモード２が設定されている場合には、図３（ｂ）に示すように、レイト２のみに基づいてＬＦＯ波形を発生するものである。
【００４０】
このモード２においては、図３（ｂ）において区間αのときに、フィルター回路１６から設定されたフィルター・タイプとカットオフとに応じた所定の周波数帯域の楽音信号（フィルタリング楽音信号）が取り出され、レベル→レイト２変換回路１８にレイト２が入力されている。
【００４１】
また、レイト・モード制御回路５０によりＬＦＯ発生回路２０にモード３が設定されている場合には、図３（ｃ）に示すように、「レイト１＋レイト２」に基づいてＬＦＯ波形を発生するものである。
【００４２】
このモード３においては、常にレイト１の値を波長として一定の周期でＬＦＯ波形を発生するものであるが、図３（ｃ）における区間βに示すレイト２が入力されたときは、「レイト１＋レイト２」をＬＦＯ波形の変化率（レイト：Ｒａｔｅ）としてＬＦＯ波形の周期を変化させてＬＦＯ波形を発生するものである。
【００４３】
こうしてＬＦＯ発生回路２０によって発生されたＬＦＯ波形に基づいて、パン制御回路２６ならびに第１乗算器２２および第２乗算器２４によって、エフェクト側の第１加算楽音信号のステレオの左右の定位（レベル）が制御されることになる。
【００４４】
そして、第２加算器２８によってステレオの左ドライ楽音信号と左エフェクト楽音信号との加算が行われ、第３加算器３０によってステレオの右ドライ楽音信号と右エフェクト楽音信号との加算が行われるが、その割合はドライ：エフェクト・バランス制御回路５２によって制御される。
【００４５】
さらに、第２加算器２８から出力された楽音信号（デジタル楽音信号）は、第１デジタル／アナログ変換器３２でアナログ楽音信号に変換され、第１増幅器３４で増幅され、左スピーカー３６からステレオの左出力として空間に放音される。
【００４６】
一方、第３加算器３０から出力された楽音信号（デジタル楽音信号）は、第２デジタル／アナログ変換器３８でアナログ楽音信号に変換され、第２増幅器４０で増幅され、右スピーカー４２からステレオの右出力として空間に放音される。なお、ＬＦＯ波形によって楽音信号の定位を制御する技術については、従来より公知の技術を適用すればよいものであるので、その詳細な説明は省略する。
【００４７】
従って、モード１においては、従来のオート・パンの効果、即ち、楽音の定位を自動的に左右に一定の割合で移動させるという効果が得られることになる。
【００４８】
また、モード２においては、ある周波数帯域の信号が入力されているときのみ、楽音の左右の定位が移動されるので、楽音の左右の定位の移動の割合が一定であるモード１の場合と比較すると、楽音の左右の定位の移動の割合が種々に変化して複雑になり、興趣に富んだ演奏を行うことができるようになるものであり、例えば、演奏に同期させて楽音の左右の定位を移動させることができるようになる。
【００４９】
さらに、モード３においては、ある周波数帯域の信号が入力されているときと、当該周波数帯域の信号が入力されていないときとで、ＬＦＯ波形の周期を変化させることができる。このため、楽音の左右の定位の移動の割合が一定であるモード１の場合と比較すると、楽音の左右の定位の移動の割合が種々に変化して複雑になり、興趣に富んだ演奏を行うことができるようになるものであり、例えば、演奏に同期させて楽音の左右の定位を移動させることができるようになる。
【００５０】
次ぎに、図２を参照しながら、本発明による効果装置の他の実施の形態を詳細に説明する。
【００５１】
図２には、本発明による効果装置を備えた電子楽器の他の構成例を表すブロック構成図が示されている。
【００５２】
なお、この図２に示す電子楽器における各構成の中で、図１示す電子楽器の構成と対応あるいは相当するものについては、図１に用いた符号と同一の符号を付して示して、その詳細な説明は適宜省略する。
【００５３】
また、この図２に示す電子楽器においても、理解を容易にするために、楽音信号発生回路１２は、複数のパート毎に楽音信号をそれぞれ同時に生成可能なマルチ・ティンバー音源ではなく、同時には単一の楽音信号を生成するものとする。さらに、この図２に示す電子楽器は、理解を容易にするために、ＭＩＤＩにより動作するものとする。
【００５４】
この電子楽器は、内蔵したメモリに記憶された演奏情報を出力するシーケンサー１００と、シーケンサー１００から出力された演奏情報に基づいて左楽音信号および右楽音信号を生成／停止する楽音信号発生回路１２と、楽音信号発生回路１２から出力された左楽音信号と右楽音信号とを加算して出力する第１加算器１４と、後述する値→レイト２変換回路１８０から出力された変換値ならびに後述するＬＦＯ制御回路４８およびＲａｔｅモード制御回路５０によって設定されるパラメータに従ってＬＦＯ波形を発生するＬＦＯ発生回路２０と、第１加算器１４から出力された楽音信号（以下、「第１加算楽音信号」と称する。）と後述するパン制御回路２６から出力されたステレオの左レベル値とを乗算してステレオ出力の左の定位を制御された楽音信号（以下、ステレオ出力の左の定位を制御された楽音信号を、適宜に「左エフェクト楽音信号」と称する。）を出力する第１乗算器２２と、第１加算楽音信号と後述するパン制御回路２６から出力されたステレオの右レベル値とを乗算してステレオ出力の右の定位を制御された楽音信号（以下、ステレオ出力の右の定位を制御された楽音信号を、適宜に「右エフェクト楽音信号」と称する。）を出力する第２乗算器２４と、ステレオ出力の左右の定位を制御するためにＬＦＯ発生回路２０によって発生されたＬＦＯ波形に基づいて第１加算楽音信号のステレオ出力の左右のレベル値を制御して第１乗算器２２ならびに第２乗算器２４へそれぞれ出力するパン制御回路２６と、第１乗算器２２から出力された左エフェクト楽音信号と楽音信号発生回路１２から出力された定位を制御されていない左楽音信号（以下、定位を制御されていない左楽音信号を、適宜に「左ドライ楽音信号」と称する。）とを加算して出力する第２加算器２８と、第２乗算器２４から出力されたステレオ出力の右エフェクト楽音信号と楽音信号発生回路１２から出力された定位を制御されていない右楽音信号（以下、定位を制御されていない右楽音信号を、適宜に「右ドライ楽音信号」と称する。）とを加算して出力する第３加算器３０と、第２加算器２８から出力された楽音信号（デジタル楽音信号）をアナログ楽音信号にデジタル／アナログ変換して出力する第１デジタル／アナログ変換器（第１Ｄ／Ａ）３２と、第１デジタル／アナログ変換器３２から出力されたアナログ楽音信号を増幅して出力する第１増幅器３４と、第１増幅器３４から出力されたアナログ楽音信号を聴取し得るステレオ出力の左出力として空間に放音する左スピーカー３６と、第３加算器３０から出力された楽音信号（デジタル楽音信号）をアナログ楽音信号にデジタル／アナログ変換して出力する第２デジタル／アナログ変換器（第２Ｄ／Ａ）３８と、第２デジタル／アナログ変換器３８から出力されたアナログ楽音信号を増幅して出力する第２増幅器４０と、第２増幅器４０から出力されたアナログ楽音信号を聴取し得るステレオ出力の右出力として空間に放音する右スピーカー４２と、シーケンサー１００に対して所定の演奏情報（この実施の形態においては、ＭＩＤＩにおけるベロシティ、ピッチベンド、エクスプレッションまたはボリュームのいずれか１つ）の値→制御回路１８０（後述する）への出力を指定するタイプ設定制御回路（Ｔｙｐｅ設定制御回路）１０２と、シーケンサー１００から出力された所定の楽音信号のレベルに応じて変換を行って変換値を出力する値→レイト２変換回路（値→Ｒａｔｅ２変換回路）１８０と、値→レイト２変換回路１８０を制御するレイト２制御回路（Ｒａｔｅ２制御回路）４６と、ＬＦＯ発生回路２０を制御するＬＦＯ制御回路４８と、ＬＦＯ発生回路２０を制御するレイト・モード制御回路（Ｒａｔｅモード制御回路）５０と、第２加算器２８および第３加算器３０を制御するドライ：エフェクト・バランス制御回路（ＤＲＹ：ＥＦＦＥＣＴバランス制御回路）５２と、タイプ設定制御回路１０２とレイト２制御回路４６とＬＦＯ制御回路４８とレイト・モード制御回路５０とドライ：エフェクト・バランス制御回路５２とを制御するマイクロ・プロセッサ５４と、タイプ設定制御回路１０２とレイト２制御回路４６とＬＦＯ制御回路４８とレイト・モード制御回路５０とドライ：エフェクト・バランス制御回路５２とにおいて設定された後述する各種のパラメータのパラメータ値（パラメータにより示される内容）を指定するための操作子群５６とを有して構成されている。
【００５５】
ここで、タイプ設定制御回路１０２とレイト２制御回路４６とＬＦＯ制御回路４８とレイト・モード制御回路５０とドライ：エフェクト・バランス制御回路５２とにおいて、それぞれ設定されるパラメータについて説明する。
【００５６】
まず、タイプ設定制御回路１０２に設定されるパラメータとしては、以下のパラメータがある。
【００５７】
（１）タイプ（Ｔｙｐｅ）
シーケンサー１００が値→レイト２変換回路１８０へ出力する演奏情報の種類を決めるパラメータである。演奏情報の種類としては、ベロシティ（Ｖｅｌｏｃｉｔｙ）とピッチベンド（ＰｉｔｃｈＢｅｎｄ）とエクスプレッション（Ｅｘｐｒｅｓｓｉｏｎ）とボリューム（Ｖｏｌｕｍｅ）との４種類設定されている。操作子群５６の操作により、ベロシティとピッチベンドとエクスプレッションとボリュームとを任意に指定することができる。
【００５８】
また、レイト２制御回路４６に設定されるパラメータとしては、以下のパラメータがある。
【００５９】
（１）レイト２（Ｒａｔｅ２）
値→レイト２変換回路１８０が出力する変換値の大きさ、即ち、タイプにより指定した演奏情報の大きさの変換カーブを決めるパラメータである。操作子群５６の操作により、予め設定された複数の変換カーブの中から、所望の変換カーブを指定することができる。
【００６０】
また、ＬＦＯ制御回路４８に設定されるパラメータとしては、以下のパラメータがある。
【００６１】
（１）ＬＦＯタイプ（ＬＦＯ  Ｔｙｐｅ）
ＬＦＯ発生回路２０によって発生されるＬＦＯ波形の種類を決めるパラメータである。ＬＦＯ波形の種類としては、鋸波とサイン波と矩形波との３種類設定されている。操作子群５６の操作により、鋸波とサイン波と矩形波とを任意に指定することができる。
【００６２】
（２）レイト１（Ｒａｔｅ１）
ＬＦＯ発生回路２０によって発生されるＬＦＯ波形の周期を決めるパラメータである。操作子群５６の操作により、任意の値を指定することができる。また、レイト・モード制御回路５０に設定されるパラメータとしては、以下のパラメータがある。
【００６３】
（１）モード（Ｍｏｄｅ）
ＬＦＯ発生回路２０におけるＬＦＯ波形の発生のモードを決めるパラメータである。モードとしては、レイト１のみに基づいてＬＦＯ波形を発生するモード１（Ｍｏｄｅ１）と、レイト２のみに基づいてＬＦＯ波形を発生するモード２（Ｍｏｄｅ２）と、レイト１とレイト２とを加算した（レイト１＋レイト２）値でＬＦＯ波形を発生するモード３（Ｍｏｄｅ３）との３種類設定されている。操作子群５６の操作により、モード１とモード２とモード３とを任意に指定することができる。
【００６４】
また、ドライ：エフェクト・バランス制御回路５２に設定されるパラメータとしては、以下のパラメータがある。
【００６５】
（２）バランス（Ｂａｌａｎｃｅ）
第２加算器２８における左ドライ楽音信号と左エフェクト楽音信号との加算の割合および第３加算器３０における右ドライ楽音信号と右エフェクト楽音信号との加算の割合を決めるパラメータである。操作子群５６の操作により、任意に割合を指定することができる。
【００６６】
以上の構成において、この電子楽器においては、シーケンサー１００から演奏情報が楽音信号発生回路１２へ出力される。
【００６７】
楽音信号発生回路１２においては、ノート・オンを示す演奏情報に基づいて左楽音信号と右楽音信号とを生成してステレオ出力し、ノート・オフを示す演奏情報に基づいて左楽音信号と右楽音信号との生成を停止する。
【００６８】
ここで、楽音信号発生回路１２から出力された左楽音信号と右楽音信号とは、それぞれドライ側とエフェクト側とに分岐され、エフェクト側に分岐された左楽音信号と右楽音信号とは、第１加算器１４によって加算される。
【００６９】
また、タイプ設定制御回路１０２により指定されたタイプの示す種類の演奏情報の値が、シーケンサー１００から値→レイト２変換回路１８０へ出力される。
値→レイト２変換回路１８０においては、レイト２制御回路４６によって設定されたレイト２に従って、入力された値の大きさに応じた変換を行って変換値を得て、その変換値をＬＦＯ発生回路２０へ出力する。
【００７０】
ＬＦＯ発生回路２０では、ＬＦＯ制御回路４８により設定されたＬＦＯタイプやレイト１によってＬＦＯ波形を発生させており、その際にレイト・モード制御回路５０によりＬＦＯ発生回路２０に設定されたモードに従って、図３（ａ）（ｂ）（ｃ）に示すように各モードに応じたＬＦＯ波形が発生されることになる。
なお、図３（ａ）（ｂ）（ｃ）においては、ＬＦＯタイプとして鋸波が設定された場合について例示している。
【００７１】
即ち、レイト・モード制御回路５０によりＬＦＯ発生回路２０にモード１が設定されている場合には、図３（ａ）に示すように、レイト１のみに基づいてＬＦＯ波形を発生するものである。
【００７２】
このモード１においては、レイト１の値が波長となり、一定の周期でＬＦＯ波形が発生されるものである。
【００７３】
また、レイト・モード制御回路５０によりＬＦＯ発生回路２０にモード２が設定されている場合には、図３（ｂ）に示すように、レイト２のみに基づいてＬＦＯ波形を発生するものである。
【００７４】
このモード２においては、図３（ｂ）において区間αのときに、タイプ設定制御回路１０２により指定されたタイプの示す種類の演奏情報の値が、シーケンサー１００から値→レイト２変換回路１８０へ出力されるとともに、値→レイト２変換回路１８０にレイト２が入力されている。
【００７５】
また、レイト・モード制御回路５０によりＬＦＯ発生回路２０にモード３が設定されている場合には、図３（ｃ）に示すように、「レイト１＋レイト２」に基づいてＬＦＯ波形を発生するものである。
【００７６】
このモード３においては、常にレイト１の値を波長として一定の周期でＬＦＯ波形を発生するものであるが、図３（ｃ）における区間βに示すレイト２が入力されたときは、「レイト１＋レイト２」をＬＦＯ波形の変化率（レイト：Ｒａｔｅ）としてＬＦＯ波形の周期を変化させてＬＦＯ波形を発生するものである。
【００７７】
こうしてＬＦＯ発生回路２０によって発生されたＬＦＯ波形に基づいて、パン制御回路２６ならびに第１乗算器２２および第２乗算器２４によって、エフェクト側の第１加算楽音信号のステレオの左右の定位（レベル）が制御されることになる。
【００７８】
そして、第２加算器２８によってステレオの左ドライ楽音信号と左エフェクト楽音信号との加算が行われ、第３加算器３０によってステレオの右ドライ楽音信号と右エフェクト楽音信号との加算が行われるが、その割合はドライ：エフェクト・バランス制御回路５２によって制御される。
【００７９】
さらに、第２加算器２８から出力された楽音信号（デジタル楽音信号）は、第１デジタル／アナログ変換器３２でアナログ楽音信号に変換され、第１増幅器３４で増幅され、左スピーカー３６からステレオの左出力として空間に放音される。
【００８０】
一方、第３加算器３０から出力された楽音信号（デジタル楽音信号）は、第２デジタル／アナログ変換器３８でアナログ楽音信号に変換され、第２増幅器４０で増幅され、右スピーカー４２からステレオの右出力として空間に放音される。
なお、ＬＦＯ波形によって楽音信号の定位を制御する技術については、上記したように従来より公知の技術を適用すればよいものであるので、その詳細な説明は省略する。
【００８１】
従って、モード１においては、従来のオート・パンの効果、即ち、楽音の定位を自動的に左右に一定の割合で移動させるという効果が得られることになる。
【００８２】
また、モード２においては、所定の演奏情報が入力されているときのみ、楽音の左右の定位が移動されるので、楽音の左右の定位の移動の割合が一定であるモード１の場合と比較すると、楽音の左右の定位の移動の割合が種々に変化して複雑になり、興趣に富んだ演奏を行うことができるようになるものであり、例えば、演奏に同期させて楽音の左右の定位を移動させることができるようになる。
【００８３】
さらに、モード３においては、所定の演奏情報の値の大きさに比例してＬＦＯ波形の周期を変化させることができる。このため、楽音の左右の定位の移動の割合が一定であるモード１の場合と比較すると、楽音の左右の定位の移動の割合が種々に変化して複雑になり、興趣に富んだ演奏を行うことができるようになるものであり、例えば、演奏に同期させて楽音の左右の定位を移動させることができるようになる。
【００８４】
なお、上記した実施の形態においては、楽音発生回路１２が複数のパート毎に楽音信号をそれぞれ同時に生成可能なマルチ・ティンバー音源ではなく、同時には単一の楽音信号を生成するものである場合について説明したが、本発明をマルチ・ティンバー音源を備えたものに適用可能であることは勿論である。
【００８５】
即ち、複数のパート毎に楽音信号をそれぞれ同時に生成可能なマルチ・ティンバー音源を備えたものに本発明を適用する場合には、ある所定のパートの楽音信号あるいは演奏情報を用いて、上記と同様にしてＬＦＯ発生回路２０を制御するようにし、当該ある所定のパート以外のパート（複数のパートでも単数のパートでもよい。）あるいは当該ある所定のパートを含むパート（当該ある所定のパートのみでもよいし、当該ある所定のパート以外のパートが複数のパートでも単数のパートでもよい。）の楽音の定位を制御することができる。
【００８６】
【発明の効果】
本発明は、以上説明したように構成されているので、オート・パンによる楽音の定位の左右への移動の割合が変化するため、楽音の定位の変化が複雑になり、興趣に富んだ演奏を行うことができるようになるという優れた効果を奏する。
【図面の簡単な説明】
【図１】本発明による効果装置を備えた電子楽器を表すブロック構成図である。
【図２】本発明による効果装置を備えた電子楽器の他の構成例を表すブロック構成図である。
【図３】各モードにおけるＬＦＯ波形を示す説明図であり、（ａ）はモード１を示し、（ｂ）はモード２を示し、（ｃ）はモード３を示す。
【符号の説明】
１０      鍵スイッチ回路
１２      楽音信号発生回路
１４      第１加算器
１６      フィルター回路
１８      レベル→レイト２変換回路
２０      ＬＦＯ発生回路
２２      第１乗算器
２４      第２乗算器
２６      パン制御回路
２８      第２加算器
３０      第３加算器
３２      第１デジタル／アナログ変換器
３４      第１増幅器
３６      左スピーカー
３８      第２デジタル／アナログ変換器
４０      第２増幅器
４２      右スピーカー
４４      フィルター制御回路
４６      レイト２制御回路
４８      ＬＦＯ制御回路
５０      レイト・モード制御回路
５２      ドライ：エフェクト・バランス制御回路
５４      マイクロ・プロセッサ
５６      操作子群
１００      シーケンサー
１０２      タイプ設定制御回路
１８０      値→レイト２変換回路
【図１】
0003856927.tif 000002
【図２】
0003856927.tif 000003
【図３】
0003856927.tif 000004